(57)【特許請求の範囲】
【請求項１】
貫通孔を有するケースと、
前記ケースの外部に突出する外端部に第１対向部が設けられ、前記ケースの前記貫通孔内に配置された第１筒部と、
内周部に第２対向部が前記第１対向部に対向して設けられ、前記第１筒部の前記外端部が挿入された状態で前記ケースの外部に配置された第２筒部と、
前記ケースの内部に突出する前記第１筒部の内端部に取り付けられた取付部材と、
前記第１筒部内にスライド可能に挿入された軸部、および前記第２筒部内にスライド可能に配置された頭部を有する操作部材と、
を備え、
前記第１筒部の前記第１対向部と前記第２筒部の前記第２対向部との間に配置された弾性体を備えていることを特徴とするスイッチ装置。
【請求項２】
貫通孔を有するケースと、
前記ケースの外部に突出する外端部に第１対向部が設けられ、前記ケースの前記貫通孔内に配置された第１筒部と、
内周部に第２対向部が前記第１対向部に対向して設けられ、前記第１筒部の前記外端部が挿入された状態で前記ケースの外部に配置された第２筒部と、
前記ケースの内部に突出する前記第１筒部の内端部に取り付けられた取付部材と、
前記第１筒部内にスライド可能に挿入された軸部、および前記第２筒部内にスライド可能に配置された頭部を有する操作部材と、
を備え、
前記第２筒部の内周面と前記頭部の外周面との間に設けられた防水部材と、前記第２筒部に設けられた流通孔および前記ケースの外面とこれに対面する前記第２筒部の外面との間を通して、前記第２筒部の内部と前記ケースの外部とに流通する流通路と、を備えていることを特徴とするスイッチ装置。
【請求項３】
請求項２に記載のスイッチ装置において、前記第１筒部の前記第１対向部と前記第２筒部の前記第２対向部との間に配置された弾性体を備えていることを特徴とするスイッチ装置。
【請求項４】
請求項２または請求項３に記載のスイッチ装置において、前記第２筒部の前記流通孔は、前記ケースの外面に対面する前記第２筒部における弾性体の外周側に設けられていることを特徴とするスイッチ装置。
【請求項５】
請求項２または請求項３に記載のスイッチ装置において、前記第２筒部の前記流通孔は、前記ケースの外面に対面する前記第２筒部における弾性体が対応する前記第２対向部に設けられ、前記弾性体は流通性を有するフィルタ機能を備えていることを特徴とするスイッチ装置。
【請求項６】
請求項１〜請求項５のいずれかに記載のスイッチ装置において、前記ケースに対面する前記第２筒部の外面とこれに対面する前記ケースの外面とは、表面加工によって微細な凹凸が設けられていることを特徴とするスイッチ装置。
【請求項７】
ケースの貫通孔内に配置され、前記ケースの外部に突出する外端部に第１対向部が設けられた第１筒部と、
前記ケースの外部に配置され、内周部に第２対向部が前記第１対向部に対向して設けられた第２筒部と、
前記第１筒部内および前記第２筒部内にスライド可能に配置された操作部材と、
を備え、
前記第１筒部の前記第１対向部と前記第２筒部の前記第２対向部との間に配置された弾性体を備えていることを特徴とするスイッチ装置。
【請求項８】
ケースの貫通孔内に配置され、前記ケースの外部に突出する外端部に第１対向部が設けられた第１筒部と、
前記ケースの外部に配置され、内周部に第２対向部が前記第１対向部に対向して設けられた第２筒部と、
前記第１筒部内および前記第２筒部内にスライド可能に配置された操作部材と、
を備え、
前記第２筒部の内周面と前記操作部材の外周面との間に防水部材を備えていることを特徴とするスイッチ装置。
【請求項９】
ケースの貫通孔内に配置され、前記ケースの外部に突出する外端部に第１対向部が設けられた第１筒部と、
前記ケースの外部に配置され、内周部に第２対向部が前記第１対向部に対向して設けられた第２筒部と、
前記第１筒部内および前記第２筒部内にスライド可能に配置された操作部材と、
を備え、
前記第２筒部に設けられた流通孔および前記ケースの外面とこれに対面する前記第２筒部の外面との間を通して、前記第２筒部の内部と前記ケースの外部とに流通する流通路を備えていることを特徴とするスイッチ装置。
【請求項１０】
ケースの貫通孔内に配置され、前記ケースの外部に突出する外端部に第１対向部が設けられた第１筒部と、
前記ケースの外部に配置され、内周部に第２対向部が前記第１対向部に対向して設けられた第２筒部と、
前記第１筒部内および前記第２筒部内にスライド可能に配置された操作部材と、
を備え、
前記ケースに対面する前記第２筒部の外面とこれに対面する前記ケースの外面とは、表面加工によって微細な凹凸が設けられていることを特徴とするスイッチ装置。
【請求項１１】
請求項１〜請求項１０のいずれかに記載のスイッチ装置において、前記第１筒部の外周面と前記ケースの前記貫通孔の内周面との間には、防水パッキンが設けられていることを特徴とするスイッチ装置。
【請求項１２】
請求項１〜請求項１１のいずれかに記載されたスイッチ装置を備えていることを特徴とする時計。
【発明の詳細な説明】
【技術分野】
【０００１】
この発明は、時計、携帯電話機、携帯情報端末機などの電子機器に用いられるスイッチ装置およびそれを備えた時計に関する。
【背景技術】
【０００２】
例えば、腕時計のスイッチ装置においては、特許文献１に記載されているように、腕時計ケースの取付孔に取付パイプを嵌め込み、この取付パイプに釦部材の軸部をスライド可能に挿入し、この取付パイプから外部に突出する釦部材の軸部およびこの軸部の外端部の頭部を防水シートで覆い、この防水シートを腕時計ケースの外面に固定部材によって取り付けることにより、防水性を図った構成のものが知られている。
【先行技術文献】
【特許文献】
【０００３】
【特許文献１】特開２００９−１３３８５９号公報
【０００４】
この種のスイッチ装置は、防水シートがウレタン樹脂やシリコーン樹脂などの軟質の合成樹脂で形成され、釦部材が押圧操作された際に、その押圧操作に応じて防水シートが弾性変形し、この防水シートの弾性変形に伴って釦部材がスライドすることにより、腕時計ケース内のスイッチ接点をスイッチ動作させるように構成されている。
【発明の概要】
【発明が解決しようとする課題】
【０００５】
しかしながら、このようなスイッチ装置では、腕時計ケースの取付孔に取付パイプを嵌め込み、この取付パイプに釦部材の軸部をスライド可能に挿入し、この取付パイプから外部に突出する釦部材の軸部およびこの軸部の外端部の頭部を防水シートで覆い、この防水シートを腕時計ケースの外面に固定部材によって取り付ける構成であるから、組立作業が煩雑で面倒であるという問題もある。
【０００６】
この発明が解決しようとする課題は、組立作業性の良いスイッチ装置およびそれを備えた時計を提供することである。
【課題を解決するための手段】
【０００７】
この発明は、貫通孔を有するケースと、前記ケースの外部に突出する外端部に第１対向部が設けられ、前記ケースの前記貫通孔内に配置された第１筒部と、内周部に第２対向部が前記第１対向部に対向して設けられ、前記第１筒部の前記外端部が挿入された状態で前記ケースの外部に配置された第２筒部と、前記ケースの内部に突出する前記第１筒部の内端部に取り付けられた取付部材と、前記第１筒部内にスライド可能に挿入された軸部、および前記第２筒部内にスライド可能に配置された頭部を有する操作部材と、を備え、前記第１筒部の前記第１対向部と前記第２筒部の前記第２対向部との間に配置された弾性体を備えていることを特徴とするスイッチ装置である。
【発明の効果】
【０００８】
この発明によれば、第２筒部内に第１筒部を挿入させて、第１対向部と第２対向部とを対向させ、この状態で第１筒部をケースの貫通孔に配置させ、ケースの内部に突出した第１筒部の内端部に取付部材を取り付けると、第１対向部をケース側に引き寄せることができるので、この第１対向部によって第２対向部をケースに確実に押し当てることができる。このため、簡単にかつ確実に第１筒部と第２筒部とをケースの貫通孔に固定することができると共に、第１筒部内に操作部材の軸部を挿入させて第２筒部内に操作部材の頭部を配置することができるので、組立作業を容易に行うことができる。
【図面の簡単な説明】
【０００９】
【図１】この発明を腕時計に適用した第１実施形態を示した拡大正面図である。
【図２】図１に示された腕時計のＡ−Ａ矢視における要部を示した拡大断面図である。
【図３】図２に示されたスイッチ装置の第２筒部を示し、（ａ）はその拡大正面図、（ｂ）はそのＢ−Ｂ矢視における拡大断面図である。
【図４】図２に示されたスイッチ装置における流通路を示した要部の拡大断面図である。
【図５】この発明を腕時計に適用した第２実施形態を示した要部の拡大断面図である。
【図６】図５に示されたスイッチ装置における流通路を示した要部の拡大断面図である。
【発明を実施するための形態】
【００１０】
（第１実施形態）
以下、図１〜図４を参照して、この発明を腕時計に適用した第１実施形態について説明する。
この腕時計は、図１および図２に示すように、腕時計ケース１を備えている。この腕時計ケース１は、本体ケース２と第１外装ケース３と第２外装ケース４とによって構成されている。本体ケース２は、硬質の合成樹脂からなり、その内部に補強用の金属部材２ａが埋め込められた構成になっている。
【００１１】
第１外装ケース３は、図１および図２に示すように、軟質の合成樹脂からなり、本体ケース２の上端部を除く外周に、これを覆って取り付けられるように構成されている。第２外装ケース４は、軟質の合成樹脂からなり、本体ケース２の上部外周および第１外装ケース３の上部外周に、これらを覆って取り付けられるように構成されている。
【００１２】
腕時計ケース１の上部開口部、つまり本体ケース２の上部開口部には、図２に示すように、時計ガラス５がパッキン５ａを介して取り付けられている。この場合、時計ガラス５の上面における外周縁は、第２外装ケース４によって覆われている。また、この腕時計ケース１の下部、つまり本体ケース２の下部には、裏蓋６が防水リング６ａを介して取り付けられている。
【００１３】
この腕時計ケース１の内部、つまり本体ケース２の内部には、図２に示すように、時計モジュール７が配置されている。時計モジュール７は、指針を駆動するための時計ムーブメントや、時刻などの情報を電気光学的に表示する表示パネルなど、時計機能に必要な各種の部品（いずれも図示せず）を備えている。
【００１４】
この場合、時計モジュール７と時計ガラス５との間には、図２に示すように、リング状の見切り部材８が設けられている。この見切り部材８は、その上面が外周側から内周側に向けて傾斜する傾斜面に形成され、この傾斜面に時字（図示せず）が円周方向に沿って等間隔で設けられた構成になっている。また、この見切り部材８と時計モジュール７との間には、その上方を指針が運針する第１文字板９と第２文字板１０とが上下に重なった状態で配置されている。
【００１５】
ところで、腕時計ケース１の１２時側と６時側との各側部には、図１に示すように、バンド取付部１１がそれぞれ外部に突出して設けられている。また、この腕時計ケース１の３時側の側部には、スイッチ装置１２が設けられており、この腕時計ケース１の２時側、４時側、８時側、および１０時側の各側部には、押釦スイッチ１３がそれぞれ設けられている。
【００１６】
スイッチ装置１２は、図２に示すように、腕時計ケース１の本体ケース２に設けられた貫通孔１４に嵌め込まれた筒状部材１５と、この筒状部材１５にスライド可能に挿入されて腕時計ケース１の外部に突出する操作部材１６と、を備えている。この場合、貫通孔１４は、本体ケース２の内部側に小径孔部１４ａが形成され、外部側に大径孔部１４ｂが形成された構成になっている。
【００１７】
この大径孔部１４ｂの外端部には、図２に示すように、座ぐり部１４ｃが形成されている。この座ぐり部１４ｃは、その内径が大径孔部１４ｂの内径よりも大きく、かつ本体ケース２の上下方向の長さ（高さ）よりも小さく形成されている。この場合、貫通孔の大径孔部１４ｂは、その軸方向の長さが小径孔部１４ａの軸方向の長さよりも長く、かつ座ぐり部１４ｃの軸方向の長さよりも長く形成されている。
【００１８】
筒状部材１５は、図２に示すように、本体ケース２の貫通孔１４内に配置される第１筒部１７と、本体ケース２の外部に配置されて第１外装ケース３から腕時計ケース１の外部に突出する第２筒部１８と、を備えている。第１筒部１７は、金属や硬質の合成樹脂で形成されている。この第１筒部１７は、本体ケース２の貫通孔１４の小径孔部１４ａに挿入する小径筒部１７ａと、本体ケース２の貫通孔１４の大径孔部１４ｂに挿入する大径筒部１７ｂと、を備えている。
【００１９】
この場合、小径筒部１７ａは、図２に示すように、その軸方向の長さが貫通孔１４の小径孔部１４ａの軸方向の長さよりも長く形成され、その内端部が小径孔部１４ａから本体ケース２内に突出するように構成されている。また、本体ケース２内に突出する小径筒部１７ａの内端部には、Ｅリングなどの取付部材１９が取り付けられている。これにより、小径筒部１７ａは、取付部材１９が本体ケース２の内周面に当接することにより、筒状部材１５が本体ケース２の外部に抜け出さないように構成されている。
【００２０】
また、大径筒部１７ｂは、図２に示すように、その軸方向の長さが貫通孔１４の大径孔部１４ｂの軸方向の長さよりも長く形成されている。これにより、大径筒部１７ｂは、貫通孔１４の大径孔部１４ｂ内に挿入された際に、その外端部が貫通孔１４の大径孔部１４ｂから本体ケース２の外部に突出するように構成されている。この場合、大径筒部１７ｂの外端部には、第１対向部１７ｄが外周から径方向に鍔状に突出して設けられている。
【００２１】
すなわち、この第１対向部１７ｄは、図２に示すように、大径筒部１７ｂの外周から鍔状に突出するリング形状に形成され、その外径が大径筒部１７ｂの外径よりも大きく形成されている。また、この第１対向部１７ｄは、第１筒部１７の大径筒部１７ｂが貫通孔１４の大径孔部１４ｂ内に挿入された際に、本体ケース２の外面つまり座ぐり部１４ｃの内面から本体ケース２の外部側に離れた位置に配置されるように構成されている。
【００２２】
また、この第１筒部１７における小径筒部１７ａと大径筒部１７ｂとの内部には、図２に示すように、操作部材１６の後述する軸部２２が挿入する軸挿入孔１７ｃが軸方向に貫通して設けられている。さらに、この第１筒部１７における大径筒部１７ｂの外周面には、本体ケース２の貫通孔１４における大径孔部１４ｂの内周面に圧接する複数の防水パッキン２０がそれぞれ環状に設けられている。
【００２３】
一方、第２筒部１８は、第１筒部１７と同様、金属や硬質の合成樹脂で形成されている。この第２筒部１８は、図２に示すように、その外径が貫通孔１４の座ぐり部１４ｃの内径とほぼ同じ大きさで、かつ第２筒部１８の内径が貫通孔１４の大径孔部１４ｂよりも十分に大きく形成されている。この第２筒部１８は、その軸方向の長さが第１筒部１７の軸方向の長さとほぼ同じ長さに形成されている。
【００２４】
これにより、第２筒部１８は、図２および図３に示すように、本体ケース２側に位置する内端部が貫通孔１４の座ぐり部１４ｃ内に配置された状態で、外端部が本体ケース２から第１外装ケース３の外部に突出するように構成されている。この場合、第２筒部１８は、その内径が第１筒部１７の第１対向部１７ｄの外径よりも十分に大きく形成されている。
【００２５】
また、この第２筒部１８は、図２および図３に示すように、本体ケース２側に位置する第２筒部１８の内端部に内壁部１８ａが設けられた構成になっている。この内壁部１８ａは、その肉厚が厚く形成され、その外面が本体ケース２の外面つまり座ぐり部１４ｃの内面に配置されるように構成されている。この内壁部１８ａの中心部には、第１筒部１７の大径筒部１７ｂが挿入する軸孔１８ｂが設けられている。
【００２６】
また、この内壁部１８ａの内面には、図２および図３に示すように、第１筒部１７の第１対向部１７ｄが配置される凹部１８ｃが設けられている。これにより、内壁部１８ａには、第１対向部１７ｄが軸方向に対応する第２対向部１８ｄが設けられている。この第２対向部１８ｄは、その内径が第１筒部１７の大径筒部１７ｂの外径と同じ大きさで、その径方向の突出長さが第１対向部１７ｄの径方向の長さと同じ長さで形成されている。このため、第２対向部１８ｄは、第１対向部１７ｄとほぼ同じ大きさのリング形状に形成されている。
【００２７】
これにより、この第２対向部１８ｄは、図２に示すように、その内部に第１筒部１７の大径筒部１７ｂが挿入された際に、本体ケース２の外部側に位置する内面が、第１筒部１７の第１対向部１７ｄにおける本体ケース２の外面側に位置する内面に対面し、この状態で第１対向部１７ｄによって本体ケース２側に引き寄せられるように構成されている。また、この第２対向部１８ｄは、本体ケース２側に位置する外面が、本体ケース２の外面つまり座ぐり部１４ｃの内面に対面して当接するように構成されている。
【００２８】
この場合、第１筒部１７の第１対向部１７ｄと第２筒部１８の第２対向部１８ｄとの間には、図２および図４に示すように、弾性体２１が配置されている。この弾性体２１は、ゴム、ウレタン樹脂、エラストマ、シリコーン樹脂などの弾力を有する材料によってリング状に形成されている。この弾性体２１は、第１対向部１７ｄと第２対向部１８ｄとの間に配置されて、その両方に弾接することにより、第１対向部１７ｄと第２対向部１８ｄとの間の防水を図ると共に、第１対向部１７ｄと第２対向部１８ｄとの間を緩衝するように構成されている。
【００２９】
これにより、筒状部材１５は、図２〜図４に示すように、第２筒部１８の内壁部１８ａの軸孔１８ｂ内に第１筒部１７の小径筒部１７ａおよび大径筒部１７ｂが挿入された際に、第１対向部１７ｄと第２対向部１８ｄとが軸方向に対応することにより、本体ケース２側に位置する第１対向部１７ｄの内面と本体ケース２の外部側に位置する第２対向部１８ｄの内面とが弾性体２１を介して対面するように構成されている。
【００３０】
また、この筒状部材１５は、図２〜図４に示すように、第２筒部１８に第１筒部１７を挿入させて第１対向部１７ｄと第２対向部１８ｄとを軸方向に対応させた状態で、第１筒部１７を本体ケース２の貫通孔１４に挿入させると、第１筒部１７の内端部が本体ケース２の内部に突出するように構成されている。
【００３１】
さらに、この筒状部材１５は、図２〜図４に示すように、第１筒部１７の内端部が本体ケース２の内部に突出した状態で、この突出した第１筒部１７の内端部に取付部材１９を取り付けると、第１筒部１７が本体ケース２側に引き込まれることにより、第１対向部１７ｄが第２対向部１８ｄを本体ケース２の外面つまり座ぐり部１４ｃの内面に押し当てるように構成されている。
【００３２】
すなわち、この筒状部材１５は、図２〜図４に示すように、第１筒部１７の内端部に取付部材１９を取り付けると、第１対向部１７ｄが弾性体２１を弾力的に圧縮させて、第１筒部１７が本体ケース２の内部側に引き寄せられ、この引き寄せられた第１筒部１７の第１対向部１７ｄが第２対向部１８ｄを本体ケース２の外面つまり座ぐり部１４ｃの内面に押し当てることにより、本体ケース２の貫通孔１４内にその軸方向にガタツクことなく取り付けられるように構成されている。
【００３３】
一方、操作部材１６は、図２に示すように、本体ケース２の貫通孔１４に嵌め込まれた筒状部材１５の第１筒部１７の軸挿入孔１７ｃにスライド可能に挿入される軸部２２と、この軸部２２の外端部に設けられて筒状部材１５の第２筒部１８内にスライド可能に配置される頭部２３と、を備えている。
【００３４】
軸部２２は、図２に示すように、その外径が第１筒部１７の軸挿入孔１７ｃの内径とほぼ同じ大きさで、軸方向の長さが第１筒部１７の軸方向の長さよりも長く、かつ筒状部材１５の軸方向の長さとほぼ同じ長さに形成されている。これにより、軸部２２は、第１筒部１７の軸挿入孔１７ｃに挿入された際に、その内端部が本体ケース２の内部に突出し、外端部が第２筒部１８内に突出するように構成されている。
【００３５】
この場合、本体ケース２の内部に突出した軸部２２の内端部には、図２に示すように、Ｅリングなどの抜止め部材２４が取り付けられている。これにより、軸部２２は、抜止め部材２４が本体ケース２内に突出した第１筒部１７の小径筒部１７ａの内端部に当接することにより、本体ケース２の外部に抜け出さないように構成されている。
【００３６】
また、この軸部２２は、図２に示すように、その内端部が本体ケース２内の時計モジュール７に設けられたスイッチ接点部７ａに接離可能に対応するように構成されている。これにより、軸部２２は、頭部２３の押圧操作に応じて内端部が本体ケース２内に突出してスイッチ接点部７ａを押圧することにより、スイッチ接点部７ａをスイッチ動作させるように構成されている。
【００３７】
さらに、軸部２２の外周には、図２に示すように、複数の防水リング２５が環状に設けられている。これら複数の防水リング２５は、第１筒部１７の軸挿入孔１７ｃの内周面に摺動可能に圧接し、この状態で軸部２２のスライド動作に伴って第１筒部１７の軸挿入孔１７ｃの内周面に沿って摺動するように構成されている。
【００３８】
また、筒状部材１５の第２筒部１８内に突出した軸部２２の外端部には、図２に示すように、頭部２３が一体に設けられている。この頭部２３は、全体がほぼ円筒状に形成され、第２筒部１８内にスライド可能に配置されるように構成されている。すなわち、この頭部２３は、その外径が第２筒部１８の内径とほぼ同じ大きさで、頭部２３の内径が第１筒部１７の第１対向部１７ｄの外径よりも大きく形成されている。
【００３９】
また、この頭部２３は、図２に示すように、その軸方向の長さが第２筒部１８の軸方向の長さとほぼ同じ長さに形成されている。これにより、頭部２３は、軸部２２の抜止め部材２４が第１筒部１７の小径筒部１７ａの内端部に当接した際に、頭部２３の内端面が第２筒部１８の内壁部１８ａから離れ、頭部２３の外端部が第２筒部１８から腕時計ケース１の外部に突出し、この状態で第２筒部１８内にその軸方向に沿ってスライド可能に配置されるように構成されている。
【００４０】
この場合、頭部２３の外周面には、図２に示すように、複数の防水部材２６が環状に設けられている。これら複数の防水部材２６は、それぞれリング状に形成され、第２筒部１８の内周面に摺動可能に圧接し、この状態で頭部２３のスライド動作に伴って第２筒部１８の内周面に沿って摺動するように構成されている。
【００４１】
また、この頭部２３内には、図２に示すように、コイルばね２７が軸部２２の外周に沿って配置されている。すなわち、このコイルばね２７は、その一端部が第１筒部１７の大径筒部１７ｂの外端部に弾接し、他端部が頭部２３の内端面に弾接し、この状態で頭部２３を本体ケース２の外部に向けて押し出す方向に付勢するように構成されている。
【００４２】
ところで、このスイッチ装置１２は、図２〜図４に示すように、第２筒部１８の内壁部１８ａに設けられた複数の流通孔２８、および本体ケース２の外面とこれに対面する第２筒部１８の外面との間の隙間Ｓを通して、第２筒部１８内の空気や水などの流体と腕時計ケース１の外部の空気や水などの流体とを流通させる流通路３０を備えている。
【００４３】
この流通路３０は、図４に示すように、空気や水などの流体を流通させるが、泥などの異物を流通させないように構成されている。この場合、複数の流通孔２８は、図２〜図４に示すように、弾性体２１の外周側に位置する第２筒部１８の内壁部１８ａにおける複数箇所、例えば内壁部１８ａの円周方向に沿って等間隔に位置する３箇所に第２筒部１８の内外に貫通して設けられている。
【００４４】
また、本体ケース２の外面とこれに対面する第２筒部１８の外面つまり内壁部１８ａの外面とは、表面加工によって微細な凹凸が設けられている。すなわち、この表面加工は、ヘアライン加工や梨地加工であり、本体ケース２の外面と第２筒部１８の外面とに微細なラインや微細な凹凸を形成する。これにより、本体ケース２の外面と第２筒部１８の外面との間には、図４に示すように、表面加工による微細な凹凸によって空気や水などの流体が流通する僅かな隙間Ｓが形成されている。
【００４５】
これにより、流通路３０は、図２および図４に示すように、操作部材１６の頭部２３が本体ケース２内に向けて押し込まれる際に、第２筒部１８と操作部材１６の頭部２３とで囲われた領域である第２筒部１８内の空気や水などの流体が、第２筒部１８の内壁部１８ａに設けられた複数の流通孔２８から本体ケース２の外面とこれに対面する第２筒部１８の外面との間の僅かな隙間Ｓに送り込まれ、この送り込まれた空気や水などの流体が、本体ケース２の外面と第２筒部１８の外面との間の僅かな隙間Ｓを通して、腕時計ケース１の外部に排出されるように構成されている。
【００４６】
また、この流通路３０は、図２および図４に示すように、操作部材１６の頭部２３がコイルばね２７のばね力によって本体ケース２の外部に向けて押し出される際に、腕時計ケース１の外部の空気や水などの流体が、本体ケース２の外面とこれに対面する第２筒部１８の外面との間の僅かな隙間Ｓに送り込まれ、この僅かな隙間Ｓを通って第２筒部１８の内壁部１８ａにおける複数の流通孔２８に送られ、これら複数の流通孔２８から第２筒部１８と操作部材１６の頭部２３とで囲われた領域である第２筒部１８内に送り込まれるように構成されている。
【００４７】
次に、このような腕時計のスイッチ装置１２の作用について説明する。
このスイッチ装置１２を腕時計ケース１に組み付ける場合には、予め、第１筒部１７の大径筒部１７ｂの外周面に複数の防水パッキン２０を取り付けると共に、この第１筒部１７の大径筒部１７ｂの外周面に弾性体１を装着して第１対向部１７ｄの内面に押し当てる。
【００４８】
この状態で、第１筒部１７の小径筒部１７ａおよび大径筒部１７ｂを第２筒部１８の内壁部１８ａの軸孔１８ｂ内に挿入させる。すると、本体ケース２側に位置する第１対向部１７ｄの内面と本体ケース２の外部側に位置する第２対向部１８ｄの内面とが弾性体２１を介して対面して弾性体２１を挟む。これにより、弾性体２１が第１対向部１７ｄと第２対向部１８ｄとの間に挟持される。
【００４９】
そして、第１筒部１７を本体ケース２の外部側から本体ケース２の貫通孔１４に挿入させる。このときには、第１筒部１７の小径筒部１７ａを貫通孔１４の大径孔部１４ｂから小径孔部１４ａに挿入させて、この小径筒部１７ａの内端部を本体ケース２の内部に突出させると共に、第１筒部１７の大径筒部１７ｂを貫通孔１４の大径孔部１４ｂに挿入させて、第２筒部１８の内壁部１８ａの外面を本体ケース２の外面つまり座ぐり部１４ｃの内面に当接させる。
【００５０】
この状態で、本体ケース２の内部に突出した第１筒部１７の内端部に取付部材１９を取り付けて、取付部材１９を本体ケース２の内面に当接させる。すると、第１筒部１７が本体ケース２の内部側に引き寄せられるので、この引き寄せられた第１筒部１７の第１対向部１７ｄが、弾性体２１を弾力的に圧縮させて、第２対向部１８ｄを本体ケース２の外面つまり座ぐり部１４ｃの内面に押し当てる。
【００５１】
このときには、第１筒部１７と第２筒部１８とが本体ケース２の貫通孔１４に対して寸法誤差が生じていても、その誤差が弾性体２１の弾性変形によって吸収される。これにより、第１筒部１７が貫通孔１４に挿入され、第２筒部１８の内壁部１８ａが弾性体２１の弾力によって本体ケース２の外面に押し当てられ、この状態で筒状部材１５の第１筒部１７と第２筒部１８とが弾性体２１の弾力によって本体ケース２に対してガタツクことなく取り付けられる。
【００５２】
また、このときには、第２筒部１８の内壁部１８ａに設けられた複数の流通孔２８、および本体ケース２の外面とこれに対面する第２筒部１８の外面との間の隙間Ｓを通して、第２筒部１８内の空気や水などの流体と腕時計ケース１の外部の空気や水などの流体とを流通させる流通路３０が形成される。
【００５３】
この後、操作部材１６を筒状部材１５に取り付ける。このときには、まず、操作部材１６の軸部２２の外周に複数の防水リング２５を取り付けると共に、軸部２２の外周にコイルばね２７を配置させて頭部２３の内端面に弾接させる。また、このときには、頭部２３の外周に防水部材２６を取り付ける。この状態で、操作部材１６の軸部２２を筒状部材１５の第２筒部１８から第１筒部１７内に挿入させると共に、頭部２３を第２筒部１８内に挿入させる。
【００５４】
そして、コイルばね２７を圧縮させた状態で、操作部材１６の軸部２２の内端部を筒状部材１５の第１筒部１７から本体ケース２の内部に突出させ、この突出した軸部２２の内端部に抜止め部材２４を取り付ける。すると、抜止め部材２４が第１筒部１７の小径筒部１７ａの内端部に当接する。
【００５５】
これにより、軸部２２が筒状部材１５内にスライド可能な状態で、操作部材１６が本体ケース２の外部に抜け出すことなく筒状部材１５に取り付けられる。この状態で、本体ケース２内に時計モジュール７を組み込み、この時計モジュール７のスイッチ接点部７ａを操作部材１６の軸部２２の内端部に接離可能な状態で対応させる。これにより、スイッチ装置１２が腕時計ケース１に組み付けられる。
【００５６】
次に、このような腕時計のスイッチ装置１２を操作する場合について説明する。
このスイッチ装置１２は、大気中で使用する通常の状態のときに、筒状部材１５の第２筒部１８と操作部材１６の頭部２３との内部に配置されたコイルばね２７のばね力によって、頭部２３が腕時計ケース１の外部に向けて押し出されている。
【００５７】
この状態では、本体ケース２の内部に突出している操作部材１６の軸部２２における内端部に設けられた抜止め部材２４が、本体ケース２内に突出した第１筒部１７の小径筒部１７ａの内端部に当接し、この状態で操作部材１６の頭部２３の内端部が筒状部材１５の第２筒部１８の内壁部１８ａから離れた状態で、頭部２３の外端部が第２筒部１８から腕時計ケース１の外部に突出している。
【００５８】
これにより、操作部材１６の軸部２２の内端部が、時計モジュール７に設けられたスイッチ接点部７ａから離れ、スイッチ接点部７ａがオフ状態になっている。この状態で、操作部材１６の頭部２３をコイルばね２７のばね力に抗して押圧操作すると、操作部材１６の軸部２２が筒状部材１５の第１筒部１７の軸挿入孔１７ｃ内を本体ケース２内に向けてスライドする。
【００５９】
このときには、軸部２２の外周面に設けられた複数の防水リング２５が第１筒部１７の軸挿入孔１７ｃの内周面に圧接した状態で摺動する。同様に、頭部２３の外周面に設けられた複数の防水部材２６が筒状部材１５の第２筒部１８の内周面に圧接した状態で摺動する。このため、防水部材２６によって頭部２３の外周面と第２筒部１８の内周面との間から第２筒部１８内に、腕時計ケース１の外部の空気や水などの流体または泥などの異物が浸入することがなく、第２筒部１８内の防水性および気密性が図られる。
【００６０】
また、このときには、筒状部材１５の第２筒部１８と操作部材１６の頭部２３とで囲われた領域である第２筒部１８内の空気が、本体ケース２側に向けてスライドする頭部２３のスライドに応じて徐々に圧縮されて空気圧が高くなる。この圧縮された空気は、流通路３０を通して腕時計ケース１の外部に排出される。
【００６１】
すなわち、圧縮された空気は、第２筒部１８の内壁部１８ａに設けられた複数の流通孔２８から本体ケース２の外面と第２筒部１８の外面との間の僅かな隙間Ｓに送り込まれる。この送り込まれた空気は、本体ケース２の外面と第２筒部１８の外面との間の僅かな隙間Ｓを通して、腕時計ケース１の外部に排出される。このため、筒状部材１５の第２筒部１８と操作部材１６の頭部２３とで囲われた領域である第２筒部１８内の空気圧は、頭部２３がスライド動作しても、腕時計ケース１の外部の気圧とほぼ同じに保たれる。
【００６２】
これにより、操作部材１６の頭部２３を大気中で押圧操作した際に、第２筒部１８と頭部２３とで囲われた領域である第２筒部１８内の空気が圧縮されても、操作部材１６を円滑にかつ良好にスライドさせることができる。このときには、操作部材１６のスライドに伴って軸部２２の内端部が本体ケース２内に押し込まれ、この軸部２２の内端部によって時計モジュール７のスイッチ接点部７ａが押されてオン動作する。
【００６３】
一方、スイッチ接点部７ａが押されてオン動作した後は、第２筒部１８と頭部２３との内部に配置されたコイルばね２７のばね力によって、頭部２３が腕時計ケース１の外部に向けて押し出される。このときにも、操作部材１６の軸部２２が、第１筒部１７の軸挿入孔１７ｃ内を、腕時計ケース１の外部に向けてスライドする。このときにも、軸部２２の外周面に設けられた複数の防水リング２５が第１筒部１７の軸挿入孔１７ｃの内周面に圧接した状態で摺動する。
【００６４】
また、このときにも、頭部２３の外周面に設けられた複数の防水部材２６が第２筒部１８の内周面に圧接した状態で摺動する。これにより、防水部材２６によって頭部２３の外周面と第２筒部１８の内周面との間から第２筒部１８内に、腕時計ケース１の外部の空気や水などの流体または泥などの異物が浸入することがなく、第２筒部１８内の防水性および気密性が図られる。
【００６５】
さらに、このときには、筒状部材１５の第２筒部１８と操作部材１６の頭部２３とで囲われた領域である第２筒部１８内の空気が、腕時計ケース１の外部に向けてスライドする頭部２３のスライドに応じて徐々に膨張して、空気圧が下がる。このように空気圧が徐々に下がる際には、腕時計ケース１の外部の空気が流通路３０を通して第２筒部１８内に送り込まれる。
【００６６】
すなわち、腕時計ケース１の外部の空気は、本体ケース２の外面と第２筒部１８の外面との間の僅かな隙間Ｓに送り込まれ、この僅かな隙間Ｓを通って第２筒部１８の内壁部１８ａに設けられた複数の流通孔２８に送られ、これら複数の流通孔２８から第２筒部１８内に送り込まれる。これにより、第２筒部１８と頭部２３とで囲われた領域である第２筒部１８内の空気圧は、頭部２３がスライド動作しても、腕時計ケース１の外部の気圧とほぼ同じに保たれる。
【００６７】
このため、コイルばね２７のばね力によって操作部材１６が元の位置に戻る際には、第２筒部１８と頭部２３とで囲われた領域である第２筒部１８内の空気が膨張して空気圧が下っても、操作部材１６を円滑にかつ良好にスライドさせることができる。このときには、操作部材１６のスライドに伴って軸部２２の内端部が時計モジュール７のスイッチ接点部７ａから離れ、スイッチ接点部７ａがオフ状態になる。
【００６８】
ところで、この腕時計を水中で使用する際には、上述したように大気中で使用する場合と同様に動作するが、この場合には、操作部材１６のスライド動作に応じて、腕時計ケース１の外部の水が流通路３０を通して第２筒部１８内に浸入し、またこの第２筒部１８内に浸入した水が流通路３０を通して腕時計ケース１の外部に排出される。このため、この腕時計を水中で使用しても、スイッチ装置１２が良好にスイッチ動作する。
【００６９】
このように、この腕時計のスイッチ装置１２によれば、腕時計ケース１の本体ケース２に設けられた貫通孔１４内に配置され、かつ外端部に第１対向部１７ｄが設けられた第１筒部１７と、本体ケース２の外部に配置されて第１筒部１７の外端部が挿入し、かつ内周部に第２対向部１８ｄが第１対向部１７ｄに対向して本体ケース２側に引き寄せられる状態で設けられた第２筒部１８と、第１筒部１７の内端部に取り付けられて、第１対向部１７ｄを本体ケース２側に引き寄せて第２対向部１８ｄを本体ケース２に押し当てる取付部材１９と、第１筒１７部内および第２筒部１８内にスライド可能に配置された操作部材１６と、を備えているので、組立作業を容易に行うことができる。
【００７０】
すなわち、この腕時計のスイッチ装置１２では、第２筒部１８内に第１筒部１７を挿入させて、第１対向部１７ｄと第２対向部１８ｄとを対向させ、この状態で第１筒部１７を腕時計ケース１の本体ケース２の貫通孔１４に配置させて、本体ケース２の内部に突出した第１筒部１７の内端部に取付部材１９を取り付けると、第１筒部１７を本体ケース２の内部側に引き込むことができるので、この引き込まれた第１筒部１７の第１対向部１７ｄによって第２対向部１８ｄを本体ケース２に押し当てることができる。
【００７１】
このため、この腕時計のスイッチ装置１２では、第１筒部１７と第２筒部１８とを本体ケース２の貫通孔１４に簡単にかつ確実に固定することができると共に、第１筒部１７内に操作部材１６の軸部２２を挿入させて第２筒部１８内に操作部材１６の頭部２３を配置することができるので、組立作業性が良く、簡単にかつ容易に組立作業ができる。
【００７２】
この場合、スイッチ装置１２は、第１筒部１７の第１対向部１７ｄと第２筒部１８の第２対向部１８ｄとの間に配置された弾性体２１を備えていることにより、本体ケース２の内部に突出した第１筒部１７の内端部に取付部材１９を取り付けて、第１対向部１７ｄが第２対向部１８ｄを本体ケース２に押し当てる際に、第１対向部１７ｄと第２対向部１８ｄとの間で弾性体２１を弾力的に圧縮させることができるので、第１筒部１７と第２筒部１８とを腕時計ケース１に対して確実にかつ良好に取り付けることができる。
【００７３】
すなわち、このスイッチ装置１２では、弾性体２１が第１対向部１７ｄと第２対向部１８ｄとの間で弾力的に圧縮変形されることにより、第１筒部１７と第２筒部１８とにおける軸方向の寸法精度に誤差が生じていても、その誤差を弾性体２１の弾性変形で吸収することができると共に、第１対向部１７ｄと第２対向部１８ｄとの間の防水性を弾性体２１によって確保することができるほか、第２筒部１８が外部から衝撃を受けた際に、弾性体２１によって第２筒部１８をぐらつかせることにより、衝撃を緩衝することができる。
【００７４】
また、このスイッチ装置１２では、第２筒部１８の内周面と頭部２３の外周面との間に設けられた防水部材２６と、第２筒部１８に設けられた流通孔２８および腕時計ケース１の外面とこれに対面する第２筒部１８の外面との間の隙間Ｓを通して、第２筒部１８内の空気や水などの流体と腕時計ケース１の外部の空気や水などの流体とを流通させる流通路３０と、を備えていることにより、防水性を確保し、かつ操作部材１６の操作性の向上を図ることができる。
【００７５】
すなわち、このスイッチ装置１２では、防水部材２６によって筒状部材１５の第２筒部１８の内周面と操作部材１６の頭部２３の外周面との間の防水性および気密性を確保することができる共に、流通路３０によって第２筒部１８の内部と腕時計ケース１の外部とを流通させることができるので、頭部２３と第２筒部１８とで囲われた第２筒部１８内の圧力を腕時計ケース１の外部の圧力とほぼ同じに保つことができ、このため防水部材２６によって防水性および気密性を確保しても、操作部材１６の操作性を向上させることができる。
【００７６】
この場合、第２筒部１８の流通孔２８は、本体ケース２の外面に対面する第２筒部１８の内壁部１８ａにおける弾性体２１の外周側に設けられていることにより、第１筒部１７に第１対向部１７ｄを設け、第２筒部１８に第２対向部１８ｄを設け、これら第１対向部１７ｄと第２対向部１８ｄとの間に弾性体２１を設けても、これら第１対向部１７ｄ、第２対向部１８ｄ、および弾性体２１に影響を及ぼすことなく、第２筒部１８に流通孔２８を確実にかつ良好に設けることができる。
【００７７】
また、流通路３０は、空気や水などの流体が流れる箇所に位置する第２筒部１８の外面、つまり第２筒部１８の内壁部１８ａの外面と、これに対応する本体ケース２の外面とに、表面加工によって微細な凹凸が設けられていることにより、この微細な凹凸によって第２筒部１８の外面と本体ケース２の外面との間に僅かな隙間Ｓを確実にかつ良好に形成することができる。このため、この僅かな隙間Ｓを通して空気や水などの流体を流通させることができる。
【００７８】
この場合、筒状部材１５の第２筒部１８の外面と本体ケース２の外面との間の隙間Ｓは、表面加工による微細な凹凸によって僅かな隙間に形成されているので、空気や水などの流体を通すことができても、泥などの異物を通すことがないので、防滴性および防塵性を確保することができる。
【００７９】
これにより、このスイッチ装置１２では、大気中において操作部材１６の頭部２３を押圧操作する際に、第２筒部１８内の空気が頭部２３によって圧縮されても、この圧縮された空気を、第２筒部１８の内壁部１８ａに設けられた複数の流通孔２８から本体ケース２の外面と第２筒部１８の外面との間の僅かな隙間Ｓに送り込み、この僅かな隙間Ｓを通して腕時計ケース１の外部に排出することができる。
【００８０】
同様に、このスイッチ装置１２では、水中で操作部材１６の頭部２３を押圧操作する際に、第２筒部１８内の水が頭部２３によって圧縮されても、この圧縮された水を、第２筒部１８の内壁部１８ａに設けられた複数の流通孔２８から本体ケース２の外面と第２筒部１８の外面との間の僅かな隙間Ｓに送り込み、この僅かな隙間Ｓを通して腕時計ケース１の外部に排出することができる。
【００８１】
このため、このスイッチ装置１２では、操作部材１６の頭部２３を押圧操作する際に、頭部２３がスライド動作しても、第２筒部１８と操作部材１６の頭部２３とで囲われた領域である第２筒部１８内の圧力を、腕時計ケース１の外部の圧力とほぼ同じに保つことができるので、操作部材１６を円滑にかつ良好にスライドさせることができる。
【００８２】
また、このスイッチ装置１２では、操作部材１６が腕時計ケース１の外部に向けて押し出される際に、第２筒部１８内の空気や水などの流体が頭部２３のスライド動作に伴って膨張して圧力が下っても、腕時計ケース１の外部の空気や水などの流体を、本体ケース２の外面と第２筒部１８の外面との間の僅かな隙間Ｓに取り込み、この僅かな隙間Ｓを通って第２筒部１８の内壁部１８ａに設けられた複数の流通孔２８から第２筒部１８内に送り込むことができる。
【００８３】
このため、このスイッチ装置１２では、操作部材１６が腕時計ケース１の外部に向けて押し出される際に、頭部２３がスライド動作しても、筒状部材１５の第２筒部１８と操作部材１６の頭部２３とで囲われた領域である第２筒部１８内の圧力を、腕時計ケース１の外部の圧力とほぼ同じに保つことができるので、操作部材１６を円滑にかつ良好にスライドさせることができる。
【００８４】
さらに、このスイッチ装置１２では、筒状部材１５の第１筒部１７の外周面と本体ケース２の貫通孔１４の内周面との間に防水パッキン２０が設けられていることにより、この防水パッキン２０によって第１筒部１７の外周面と本体ケース２の貫通孔１４の内周面との間の防水性および気密性を確保することができ、これにより第１筒部１７の外周面と本体ケース２の貫通孔１４の内周面との間から本体ケース２内に水や空気が浸入するのを確実に防ぐことができる。
【００８５】
（第２実施形態）
次に、図５および図６を参照して、この発明を腕時計に適用した第２実施形態について説明する。なお、図１〜図４に示された第１実施形態と同一部分には同一符号を付して説明する。
この腕時計のスイッチ装置４０は、図５および図６に示すように、第１筒部１７の第１対向部４１と、第２筒部１８の第２対向部４２と、これらの間に配置される弾性体４３が第１実施形態と異なる構成であり、これ以外は第１実施形態とほぼ同じ構成になっている。
【００８６】
すなわち、第１筒部１７の第１対向部４１は、第１実施形態と同様、第１筒部１７の外端部にリング形状に設けられている。この第１対向部４１は、図５および図６に示すように、その外径が第１実施形態の第１対向部１７ｄの外径よりも大きく形成されている。この場合にも、この第１対向部４１は、第１筒部１７の大径筒部１７ｂが貫通孔１４の大径孔部１４ｂ内に挿入された際に、本体ケース２の外面つまり座ぐり部１４ｃの内面から本体ケース２の外部側に離れた位置に配置されるように構成されている。
【００８７】
また、本体ケース２側に位置する第２筒部１８の内端部には、第１実施形態と同様、内壁部１８ａが設けられている。この内壁部１８ａは、その肉厚が厚く形成され、その外面が本体ケース２の外面つまり座ぐり部１４ｃの内面に配置されるように構成されている。この内壁部１８ａの中心部には、第１筒部１７の大径筒部１７ｂが挿入する軸孔１８ｂが設けられている。
【００８８】
また、この内壁部１８ａの内面には、図５および図６に示すように、第１筒部１７の第１対向部４１が配置される凹部４４が設けられている。この凹部４４は、その内径が第１筒部１７の第１対向部４１の外径よりも少し大きく、かつ第２筒部１８の内径よりも少し小さい大きさで形成されている。これにより、凹部４４の内周面とこれに対応する第１筒部１７の第１対向部４１の外周面との間には、隙間Ｓ１が設けられている。
【００８９】
また、この内壁部１８ａには、図５および図６に示すように、第１対向部４１が対向する第２対向部４２が設けられている。この第２対向部４２は、その内径が第１筒部１７の大径筒部１７ｂの外径と同じ大きさ、つまり軸孔１８ｂに形成されている。また。この第２対向部４２は、その径方向の突出長さが第１対向部４１の径方向の長さと同じ長さで形成されている。このため、第２対向部４２は、第１対向部４１と同じ大きさのリング形状に形成されている。
【００９０】
これにより、この第２対向部４２は、図５および図６に示すように、その内部に第１筒部１７の大径筒部１７ｂが挿入された際に、本体ケース２の外部側に位置する内面が、第１筒部１７の第１対向部４１における本体ケース２の外面側に位置する内面に対面し、この状態で第１対向部４１によって本体ケース２側に引き寄せられるように構成されている。また、この第２対向部４２は、本体ケース２側に位置する外面が、本体ケース２の外面つまり座ぐり部１４ｃの内面に対面して当接するように構成されている。
【００９１】
一方、弾性体４３は、図５および図６に示すように、第１筒部１７の第１対向部４１と第２筒部１８の第２対向部４２との間に配置されている。この弾性体４３は、スポンジのように、弾力性を有するほかに、空気や水を通し、泥などの異物を通さないフィルタ機能を備えた材料によって、平板状のリング状に形成されている。すなわち、この弾性体４３は、その内径が第１筒部１７の大径筒部１７ｂの外径とほぼ同じ大きさに形成されている。
【００９２】
また、この弾性体４３は、図５および図６に示すように、その外径が第１対向部４１の外径とほぼ同じ大きさ、または第２筒部１８の内壁部１８ａの凹部４４の内径とほぼ同じ大きさに形成されている。このため、この弾性体４３は、第１対向部４１と第２対向部４２との間の流通性を図ると共に、第１対向部４１と第２対向部４２との間を緩衝するように構成されている。
【００９３】
これにより、筒状部材１５である第１筒部１７と第２筒部１８とは、図５および図６に示すように、第２筒部１８の内壁部１８ａの軸孔１８ｂ内に第１筒部１７の小径筒部１７ａおよび大径筒部１７ｂが挿入された際に、第１対向部４１と第２対向部４２とが軸方向に対応することにより、本体ケース２の内部側に位置する第１対向部４１の内面と本体ケース２の外部側に位置する第２対向部４２の内面とが弾性体４３を介して対面するように構成されている。
【００９４】
また、この筒状部材１５は、図５および図６に示すように、第１筒部１７の内端部が本体ケース２の内部に突出した状態で、この突出した第１筒部１７の内端部に取付部材１９が取り付けられると、第１筒部１７が本体ケース２の内部側に引き込まれることにより、この第１筒部１７の第１対向部４１が第２対向部４２を本体ケース２の外面つまり座ぐり部１４ｃの内面に押し当てるように構成されている。
【００９５】
すなわち、この筒状部材１５は、図５および図６に示すように、第１筒部１７の内端部に取付部材１９を取り付けると、第１対向部４１が弾性体４３を弾力的に圧縮させて本体ケース２の内部側に向けて引き寄せられ、この引き寄せられた第１対向部４１が第２対向部４２を本体ケース２の外面つまり座ぐり部１４ｃの内面に押し当てることにより、本体ケース２の貫通孔１４内にその軸方向にガタツクことなく取り付けられるように構成されている。
【００９６】
ところで、第２筒部１８の第２対向部４２には、図５および図６に示すように、複数の流通孔４５が設けられている。これら複数の流通孔４５は、弾性体４３が対応する第２筒部１８の第２対向部４２における複数箇所、例えば第２対向部４２の円周方向に沿って等間隔に位置する３箇所に第２筒部１８の内外に貫通して設けられている。これにより、複数の流通孔４５は、第２筒部４２の凹部４４の内周面とこれに対応する第１筒部１７の第１対向部４１の外周面との間に設けられた隙間Ｓ１、およびフィルタ機能を有する弾性体４３を通して、第２筒部１８の内部と流通するように構成されている。
【００９７】
また、この流通孔４５は、図５および図６に示すように、本体ケース２の外面とこれに対面する第２筒部１８の外面つまり第２対向部４２の外面との間の隙間Ｓを通して、腕時計ケース１の外部と流通するように構成されている。この場合にも、本体ケース２の外面とこれに対面する第２筒部１８の外面つまり第２対向部４２の外面とは、第１実施形態と同様、表面加工によって微細な凹凸が設けられている。
【００９８】
これにより、流通路４６は、図５および図６に示すように、第２筒部４２の凹部４４の内周面とこれに対応する第１筒部１７の第１対向部４１の外周面との間に設けられた隙間Ｓ１と、フィルタ機能を有する弾性体４３と、第２筒部１８の第２対向部４２に設けられた複数の流通孔４５と、本体ケース２の外面とこれに対面する第２筒部１８の外面との間の隙間Ｓとを通して、第２筒部１８の内部の空気や水などの流体と腕時計ケース１の外部の空気や水などの流体とを流通させるように構成されている。
【００９９】
このため、この流通路４６は、図５および図６に示すように、操作部材１６の頭部２３が本体ケース２内に向けて押し込まれる際に、第２筒部１８と操作部材１６の頭部２３とで囲われた領域である第２筒部１８内の空気や水などの流体が、第２筒部４２の凹部４４の内周面と第１筒部１７の第１対向部４１の外周面との間に設けられた隙間Ｓ１と、フィルタ機能を有する弾性体４３とを通して、第２筒部１８の第２対向部４２に設けられた複数の流通孔４５に送り込まれるように構成されている。
【０１００】
また、この流通路４６は、図５および図６に示すように、操作部材１６の頭部２３が本体ケース２内に向けて押し込まれる際に、複数の流通孔４５に送り込まれた空気や水などの流体が、本体ケース２の外面とこれに対面する第２筒部１８の外面との間の僅かな隙間Ｓに送り込まれ、この送り込まれた空気や水などの流体が、本体ケース２の外面と第２筒部１８の外面との間の僅かな隙間Ｓを通して、腕時計ケース１の外部に排出されるように構成されている。
【０１０１】
一方、この流通路４６は、図５および図６に示すように、操作部材１６の頭部２３がコイルばね２７のばね力によって本体ケース２の外部に向けて押し出される際に、腕時計ケース１の外部の空気や水などの流体が、本体ケース２の外面とこれに対面する第２筒部１８の外面との間の僅かな隙間Ｓを通して、第２筒部１８の第２対向部４２に設けられた複数の流通孔４５に送り込まれるように構成されている。
【０１０２】
また、この流通路４６は、図５および図６に示すように、第２筒部１８の第２対向部４２に設けられた複数の流通孔４５に送られた空気や水などの流体が、これら複数の流通孔４５からフィルタ機能を有する弾性体４３、および第２筒部４２の凹部４４の内周面と第１筒部１７の第１対向部４１の外周面との間に設けられた隙間Ｓ１を通して、第２筒部１８と頭部２３とで囲われた領域である第２筒部１８内に送り込まれるように構成されている。
【０１０３】
次に、このような腕時計のスイッチ装置４０の作用について説明する。
このスイッチ装置４０は、第１実施形態と同様、大気中における通常の状態で、筒状部材１５の第２筒部１８と操作部材１６の頭部２３との内部に配置されたコイルばね２７のばね力によって、頭部２３が腕時計ケース１の外部に向けて押し出されている。
【０１０４】
この状態で、操作部材１６の頭部２３をコイルばね２７のばね力に抗して押圧操作すると、操作部材１６の軸部２２が筒状部材１５の第１筒部１７の軸挿入孔１７ｃ内を本体ケース２内に向けてスライドする。このときには、第１実施形態と同様、軸部２２の外周面に設けられた複数の防水リング２５が第１筒部１７の軸挿入孔１７ｃの内周面に圧接した状態で摺動する。
【０１０５】
同様に、頭部２３の外周面に設けられた複数の防水部材２６が筒状部材１５の第２筒部１８の内周面に圧接した状態で摺動する。このため、防水部材２６によって頭部２３の外周面と第２筒部１８の内周面との間から第２筒部１８内に、腕時計ケース１の外部の空気や水などの流体または泥などの異物が浸入することがなく、第２筒部１８内の防水性および気密性が図られる。
【０１０６】
また、このときには、筒状部材１５の第２筒部１８と操作部材１６の頭部２３とで囲われた領域である第２筒部１８内の空気が、本体ケース２側に向けてスライドする頭部２３のスライドに応じて徐々に圧縮されて空気圧が高くなる。この圧縮された空気は、流通路４６を通して腕時計ケース１の外部に排出される。
【０１０７】
すなわち、圧縮された空気は、第２筒部４２の凹部４４の内周面と第１筒部１７の第１対向部４１の外周面との間に設けられた隙間Ｓ１と、フィルタ機能を有する弾性体４３と、第２筒部１８の第２対向部４２に設けられた複数の流通孔４５とを通して、本体ケース２の外面と第２筒部１８の外面との間の僅かな隙間Ｓに送り込まれる。
【０１０８】
この送り込まれた空気は、本体ケース２の外面と第２筒部１８の外面との間の僅かな隙間Ｓを通して、腕時計ケース１の外部に排出される。このため、筒状部材１５の第２筒部１８と操作部材１６の頭部２３とで囲われた領域である第２筒部１８内の空気圧は、頭部２３がスライド動作しても、腕時計ケース１の外部の気圧とほぼ同じに保たれる。
【０１０９】
これにより、操作部材１６の頭部２３を押圧操作した際に、第２筒部１８と頭部２３とで囲われた領域である第２筒部１８内の空気が圧縮されても、操作部材１６を円滑にかつ良好にスライドさせることができる。このときには、操作部材１６のスライドに伴って軸部２２の内端部が本体ケース２内に押し込まれ、この軸部２２の内端部によって時計モジュール７のスイッチ接点部７ａが押されてオン動作する。
【０１１０】
一方、スイッチ接点部７ａが押されてオン動作した後は、第２筒部１８と頭部２３との内部に配置されたコイルばね２７のばね力によって、頭部２３が腕時計ケース１の外部に向けて押し出される。このときにも、操作部材１６の軸部２２が、第１筒部１７の軸挿入孔１７ｃ内を、腕時計ケース１の外部に向けてスライドする。このときには、軸部２２の外周面に設けられた複数の防水リング２５が第１筒部１７の軸挿入孔１７ｃの内周面に圧接した状態で摺動する。
【０１１１】
また、このときにも、頭部２３の外周面に設けられた複数の防水部材２６が第２筒部１８の内周面に圧接した状態で摺動する。これにより、防水部材２６によって頭部２３の外周面と第２筒部１８の内周面との間から第２筒部１８内に、腕時計ケース１の外部の水や泥などの異物が浸入することがなく、第２筒部１８内の防水性および気密性が図られる。
【０１１２】
このときには、筒状部材１５の第２筒部１８と操作部材１６の頭部２３とで囲われた領域である第２筒部１８内の空気が、腕時計ケース１の外部に向けてスライドする頭部２３のスライドに応じて徐々に膨張して、空気圧が下がる。このように空気圧が徐々に下がる際には、腕時計ケース１の外部の空気が流通路４６を通して第２筒部１８の内部に送り込まれる。
【０１１３】
すなわち、腕時計ケース１の外部の空気は、本体ケース２の外面と第２筒部１８の外面との間の僅かな隙間Ｓに送り込まれ、この僅かな隙間Ｓを通って第２筒部１８の第２対向部４２に設けられた複数の流通孔４５に送られ、これら複数の流通孔４５からフィルタ機能を有する弾性体４３、および第２筒部４２の凹部４４の内周面と第１筒部１７の第１対向部４１の外周面との間に設けられた隙間Ｓ１を通して第２筒部１８内に送り込まれる。これにより、第２筒部１８と頭部２３とで囲われた領域である第２筒部１８内の空気圧は、頭部２３がスライド動作しても、腕時計ケース１の外部の気圧とほぼ同じに保たれる。
【０１１４】
このため、コイルばね２７のばね力によって操作部材１６が元の位置に戻る際には、第２筒部１８と頭部２３とで囲われた領域である第２筒部１８内の空気が膨張して空気圧が下っても、操作部材１６を円滑にかつ良好にスライドさせることができる。このときには、操作部材１６のスライドに伴って軸部２２の内端部が時計モジュール７のスイッチ接点部７ａから離れ、スイッチ接点部７ａがオフ状態になる。
【０１１５】
ところで、この腕時計を水中で使用する際には、上述したように空気中で使用する場合と同様に動作するが、この場合には、操作部材１６のスライド動作に応じて、腕時計ケース１の外部の水が流通路４６を通して第２筒部１８内に浸入し、またこの第２筒部１８内に浸入した水が流通路４６を通して腕時計ケース１の外部に排出される。このため、この腕時計を水中で使用しても、スイッチ装置１２が良好にスイッチ動作する。
【０１１６】
このように、この腕時計のスイッチ装置４０によれば、第１実施形態と同様、第２筒部１８内に第１筒部１７を挿入させて、第１対向部４１と第２対向部４２とを対向させ、この状態で第１筒部１７を腕時計ケース１の本体ケース２の貫通孔１４に配置させて、本体ケース２の内部に突出した第１筒部１７の内端部に取付部材１９を取り付けると、第１筒部１７を本体ケース２の内部側に引き込むことができるので、この引き込まれた第１筒部１７の第１対向部４１によって第２対向部４２を本体ケース２に押し当てることができる。
【０１１７】
このため、このスイッチ装置４０においても、第１実施形態と同様、第１筒部１７と第２筒部１８とを本体ケース２の貫通孔１４に簡単にかつ確実に固定することができると共に、第１筒部１７内に操作部材１６の軸部２２を挿入させて第２筒部１８内に操作部材１６の頭部２３を配置することができるので、組立作業性が良く、簡単にかつ容易に組立作業ができる。
【０１１８】
この場合、このスイッチ装置４０は、第１筒部１７の第１対向部４１と第２筒部１８の第２対向部４２との間に配置された弾性体４３を備えていることにより、本体ケース２の内部に突出した第１筒部１７の内端部に取付部材１９を取り付けて、第１対向部４１が第２対向部４２を本体ケース２に押し当てる際に、第１対向部４１と第２対向部４２との間で弾性体４３を弾力的に圧縮させることができるので、第１実施形態と同様、第１筒部１７と第２筒部１８とを腕時計ケース１に対して確実にかつ良好に取り付けることができる。
【０１１９】
すなわち、このスイッチ装置４０では、弾性体４３が第１対向部４１と第２対向部４２との間で弾力的に圧縮変形されることにより、第１実施形態と同様、第１筒部１７と第２筒部１８とにおける軸方向の寸法精度に誤差が生じていても、その誤差を弾性体２１の弾性変形で吸収することができると共に、第１対向部４１と第２対向部４２との間の防水性を弾性体４３によって確保することができるほか、第２筒部１８が外部から衝撃を受けた際に、弾性体４３によって第２筒部１８をぐらつかせることにより、衝撃を緩衝することができる。
【０１２０】
また、このスイッチ装置４０では、第２筒部１８の内周面と頭部２３の外周面との間に設けられた防水部材２６と、第２筒部１８に設けられた流通孔４５および腕時計ケース１の外面とこれに対面する第２筒部１８の外面との間の隙間Ｓを通して、第２筒部１８内の空気や水などの流体と腕時計ケース１の外部の空気や水などの流体とを流通させる流通路４６と、を備えていることにより、第１実施形態と同様、防水性を確保し、かつ操作部材１６の操作性の向上を図ることができる。
【０１２１】
すなわち、このスイッチ装置４０では、防水部材２６によって筒状部材１５の第２筒部１８の内周面と操作部材１６の頭部２３の外周面との間の防水性および気密性を確保することができる共に、流通路４６によって第２筒部１８の内部と腕時計ケース１の外部とを流通させることができるので、頭部２３と第２筒部１８とで囲われた第２筒部１８内の圧力を腕時計ケース１の外部の圧力とほぼ同じに保つことができ、このため防水部材２６によって防水性および気密性を確保しても、操作部材１６の操作性を向上させることができる。
【０１２２】
この場合、第２筒部１８の流通孔４５は、弾性体４３が対応する第２筒部１８の第２対向部４２に設けられていることにより、第１筒部１７に第１対向部４１を設け、第２筒部１８に第２対向部４２を設け、これら第１対向部４１と第２対向部４２との間に弾性体４３を設けても、弾性体４３が通気性を有するフィルタ機能を備えているので、この弾性体４３を介して空気や水などの流体を良好に流通させることができる。
【０１２３】
すなわち、この流通孔４５は、フィルタ機能を有する弾性体４３、および第２筒部４２の凹部４４の内周面とこれに対応する第１筒部１７の第１対向部４１の外周面との間に設けられた隙間Ｓ１を通して、第２筒部１８内と流通させることができると共に、本体ケース２の外面と第２筒部１８の外面との間の僅かな隙間Ｓを通して、腕時計ケース１の外部と流通させることができるので、第２筒部１８の内部と腕時計ケース１の外部とを良好に流通させることができる。
【０１２４】
これにより、このスイッチ装置４０では、大気中において操作部材１６の頭部２３を押圧操作する際に、第２筒部１８内の空気が頭部２３によって圧縮されても、この圧縮された空気を、第２筒部４２の凹部４４の内周面と第１筒部１７の第１対向部４１の外周面との間に設けられた隙間Ｓ１、フィルタ機能を有する弾性体４３、および第２筒部１８の第２対向部４２に設けられた複数の流通孔４５を通して、本体ケース２の外面と第２筒部１８の外面との間の僅かな隙間Ｓに送り込み、この僅かな隙間Ｓを通して腕時計ケース１の外部に排出することができる。
【０１２５】
同様に、このスイッチ装置４０では、水中において操作部材１６の頭部２３を押圧操作する際に、第２筒部１８内の水が頭部２３によって圧縮されても、この圧縮された水を、第２筒部４２の凹部４４の内周面と第１筒部１７の第１対向部４１の外周面との間に設けられた隙間Ｓ１、フィルタ機能を有する弾性体４３、および第２筒部１８の第２対向部４２に設けられた複数の流通孔４５を通して、本体ケース２の外面と第２筒部１８の外面との間の僅かな隙間Ｓに送り込み、この僅かな隙間Ｓを通して腕時計ケース１の外部に排出することができる。
【０１２６】
このため、このスイッチ装置４０では、操作部材１６の頭部２３を押圧操作する際に、頭部２３がスライド動作しても、第２筒部１８と操作部材１６の頭部２３とで囲われた領域である第２筒部１８内の圧力を、腕時計ケース１の外部の圧力とほぼ同じに保つことができるので、操作部材１６を円滑にかつ良好にスライドさせることができる。
【０１２７】
また、このスイッチ装置４０では、操作部材１６が腕時計ケース１の外部に向けて押し出される際に、第２筒部１８内の空気や水などの流体が頭部２３のスライド動作に伴って膨張して圧力が下っても、腕時計ケース１の外部の空気や水などの流体を、本体ケース２の外面と第２筒部１８の外面との間の僅かな隙間Ｓに取り込み、この僅かな隙間Ｓから第２筒部１８の第２対向部４２に設けられた複数の流通孔４５、フィルタ機能を有する弾性体４３、および第２筒部４２の凹部４４の内周面と第１筒部１７の第１対向部４１の外周面との間に設けられた隙間Ｓ１を通して、第２筒部１８内に送り込むことができる。
【０１２８】
このため、このスイッチ装置４０では、操作部材１６が腕時計ケース１の外部に向けて押し出される際に、頭部２３がスライド動作しても、筒状部材１５の第２筒部１８と操作部材１６の頭部２３とで囲われた領域である第２筒部１８内の圧力を、腕時計ケース１の外部の圧力とほぼ同じに保つことができるので、操作部材１６を円滑にかつ良好にスライドさせることができる。
【０１２９】
なお、上述した第１、第２の各実施形態では、第１対向部１７ｄ、４１と第２対向部１８ｄ、４２との間に弾性体２１、４３を設けた場合について述べたが、この発明は必ずしも弾性体２１、４３を設ける必要はなく、例えば第１対向部と第２対向部とを直接当接させても良く、また第１対向部と第２対向部との少なくとも一方に弾力性をもたせた構成であっても良い。
【０１３０】
また、上述した第１、第２の各実施形態では、第１筒部１７の内端部に取り付けられる取付部材１９が、Ｅリングなどの抜け止め機能を備えた構成である場合について述べたが、この発明はこれに限らず、例えば第１筒部１７の内端部にねじ部を設け、このねじ部に螺合するねじ機能を備えたねじ部材であっても良い。
【０１３１】
また、上述した第１、第２の各実施形態のスイッチ装置１２、４０の構成は、腕時計に設けられた各押釦スイッチ１３を含む全てのスイッチに適用しても良く、一部のスイッチに適用しても良い。
【０１３２】
さらに、上述した第１、第２の各実施形態およびその変形例では、腕時計に適用した場合について述べたが、必ずしも腕時計である必要はなく、例えばトラベルウオッチ、目覚まし時計、置き時計、掛け時計などの各種の時計に適用することができる。また、必ずしも時計に限らず、例えば携帯電話機や携帯情報端末機などの電子機器にも広く適用することができる。
【０１３３】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１３４】
（付記）
請求項１に記載の発明は、貫通孔を有するケースと、前記ケースの外部に突出する外端部に第１対向部が設けられ、前記ケースの前記貫通孔内に配置された第１筒部と、内周部に第２対向部が前記第１対向部に対向して設けられ、前記第１筒部の前記外端部が挿入された状態で前記ケースの外部に配置された第２筒部と、前記ケースの内部に突出する前記第１筒部の内端部に取り付けられた取付部材と、前記第１筒部内にスライド可能に挿入された軸部、および前記第２筒部内にスライド可能に配置された頭部を有する操作部材と、を備えていることを特徴とするスイッチ装置である。
【０１３５】
請求項２に記載の発明は、請求項１に記載のスイッチ装置において、前記第１筒部の前記第１対向部と前記第２筒部の前記第２対向部との間に配置された弾性体を備えていることを特徴とするスイッチ装置である。
【０１３６】
請求項３に記載の発明は、請求項１または請求項２に記載のスイッチ装置において、前記第２筒部の内周面と前記頭部の外周面との間に設けられた防水部材と、前記第２筒部に設けられた流通孔および前記ケースの外面とこれに対面する前記第２筒部の外面との間を通して、前記第２筒部の内部と前記ケースの外部とに流通する流通路と、を備えていることを特徴とするスイッチ装置である。
【０１３７】
請求項４に記載の発明は、請求項３に記載のスイッチ装置において、前記第２筒部の前記流通孔は、前記ケースの外面に対面する前記第２筒部における前記弾性体の外周側に設けられていることを特徴とするスイッチ装置である。
【０１３８】
請求項５に記載の発明は、請求項３に記載のスイッチ装置において、前記第２筒部の前記流通孔は、前記ケースの外面に対面する前記第２筒部における前記弾性体が対応する前記第２対向部に設けられ、前記弾性体は流通性を有するフィルタ機能を備えていることを特徴とするスイッチ装置である。
【０１３９】
請求項６に記載の発明は、請求項３〜請求項５のいずれかに記載のスイッチ装置において、前記ケースに対面する前記第２筒部の外面とこれに対面する前記ケースの外面とは、表面加工によって微細な凹凸が設けられていることを特徴とするスイッチ装置。
である。
【０１４０】
請求項７に記載の発明は、請求項１〜請求項６のいずれかに記載のスイッチ装置において、前記第１筒部の外周面と前記ケースの前記貫通孔の内周面との間には、防水パッキンが設けられていることを特徴とするスイッチ装置である。
【０１４１】
請求項８に記載の発明は、請求項１〜請求項７のいずれかに記載されたスイッチ装置を備えていることを特徴とする時計である。
【符号の説明】
【０１４２】
１  腕時計ケース
２  本体ケース
３  第１外装ケース
４  第２外装ケース
７  時計モジュール
７ａ  スイッチ接点部
１２、４０  スイッチ装置
１４  貫通孔
１５  筒状部材
１６  操作部材
１７  第１筒部
１７ａ  小径筒部
１７ｂ  大径筒部
１７ｃ  軸挿入孔
１７ｄ、４１  第１対向部
１８  第２筒部
１８ａ  内壁部
１８ｂ  軸孔
１８ｃ、４４  凹部
１８ｄ、４２  第２対向部
１９  取付部材
２０  防水パッキン
２１、４３  弾性体
２２  軸部
２３  頭部
２６  防水部材
２７  コイルばね
２８、４５  流通孔
３０、４６  流通路
【図１】
0006558575.tif 000002
【図２】
0006558575.tif 000003
【図３】
0006558575.tif 000004
【図４】
0006558575.tif 000005
【図５】
0006558575.tif 000006
【図６】
0006558575.tif 000007